(57)【要約】本発明は、クロノグラフであって、クロノグラフ駆動装置が設けられており、該クロノグラフ駆動装置によって、第１の作動エレメント（４４）を手動操作する際に、クロノグラフ指針（４７）のクロノグラフ指針軸（２８）が回転するように駆動可能であって、クロノグラフ指針（４７）に重なり合って駆動可能なキャッチアップ指針（４８）の、クロノグラフ指針軸（２８）に対して同心的なキャッチアップ指針軸（５）が設けられており、前記クロノグラフ指針軸（２８）には、クロノグラフ指針（４７）を戻すための秒ハートカム（２９）が配置されていて、クロノグラフ指針軸（２８）とキャッチアップ指針軸（５）とは、摩擦接続的な連結部材のキャッチアップハートカム（３０）によって回転不能に互いに結合されている形式のものに関する。キャッチアップ指針軸（５）にはキャッチアップ歯車（６）が配置されており、該キャッチアップ歯車（６）は、キャッチアップグリッパのグリッパアーム（１，１´）によってばねプレロード下で係合可能であって、摩擦接続または形状接続により回転ロック可能である。第２の作動エレメント（４６）を手動で操作することにより、ロック位置とロック解除位置との間で運動可能な切替エレメントが設けられており、該切替エレメントによって、グリッパアーム（１２，１２´）が回転ロック位置から出てキャッチアップ歯車（６）から持ち上がるように運動可能である。
2004521371.tif 000002
【特許請求の範囲】
【請求項１】
クロノグラフであって、クロノグラフ駆動装置が設けられており、該クロノグラフ駆動装置によって、第１の作動エレメントを手動操作する際に、クロノグラフ指針のクロノグラフ指針軸が回転可能に駆動可能であって、クロノグラフ指針に重なり合って駆動可能なキャッチアップ指針の、クロノグラフ指針軸に対して同心的なキャッチアップ指針軸が設けられており、前記クロノグラフ指針軸には、クロノグラフ指針を戻すための秒ハートカムが配置されていて、クロノグラフ指針軸とキャッチアップ指針軸とは、摩擦接続的な連結部材のキャッチアップハートカムによって回転不能に互いに結合可能であって、キャッチアップ指針軸に配置されたキャッチアップ歯車が設けられており、該キャッチアップ歯車は、キャッチアップグリッパのグリッパアームによってばねプレロード下で係合可能であって、摩擦接続または形状接続により回転ロック可能であって、第２の作動エレメントを手動で操作することにより、ロック位置とロック解除位置との間で運動可能な切替エレメントが設けられており、該切替エレメントによって、グリッパアームが回転ロック位置から出てキャッチアップ歯車から持ち上がり可能に運動可能である形式のものにおいて、
第３の作動エレメント（４５）が設けられており、該第３の作動エレメントを、非負荷位置から負荷位置へと手動で動かすことによって、クロノグラフ指針軸と、クロノグラフ指針（４７）とがゼロ位置に運動可能であって、ロック位置に位置する切替エレメントが、ロック解除位置へと運動可能であって、またはロック解除位置に位置する切替エレメントがロック解除位置に留まることを特徴とするクロノグラフ。
【請求項２】
第３の作動エレメント（４５）によって作動装置が操作可能であって、該作動装置によって、ロック位置とロック解除位置との間で切替エレメントが運動可能に駆動可能であって、この場合、触知エレメント（２３）によって、切替エレメントの位置が検知可能であって、切替エレメントがロック解除位置にある場合には、作動装置は作動不能であって、切替エレメントがロック位置にある場合には作動装置が作動可能である、請求項１記載のクロノグラフ。
【請求項３】
作動装置が、切替エレメントに回動不能に同心的に結合されているかまたは、中間伝動装置を介して回転可能に駆動可能な切替歯車を有しており、該切替歯車は、第３の作動エレメント（４５）によって操作可能な切替突起が、ロック位置からロック解除位置への切替エレメントの切替ステップに相当する切替ステップ分だけさらに切替可能である、請求項２記載のクロノグラフ。
【請求項４】
切替エレメントのロック解除位置では、作動装置が切替歯車から係合解除されている、請求項１から３までのいずれか１項記載のクロノグラフ。
【請求項５】
切替エレメントが、回転方向で、または選択的な回転方向で引き続き切替可能である、請求項２記載のクロノグラフ。
【請求項６】
切替歯車が、鋸歯歯車（１８）またはカム歯車であって、切替つめ（２４）として形成された、作動装置の切替突起によってさらに切替可能であって、作動装置は切替エレメントのロック位置で鋸歯歯車（１８）またはカム歯車と係合しており、切替エレメントのロック解除位置で鋸歯歯車（１８）またはカム歯車の係合から解除させることができる、請求項１から５までのいずれか１項記載のクロノグラフ。
【請求項７】
切替エレメントがコラムホイール（７）であって、該コラムホイール（７）が交互に半径方向に突出するコラム（ａ，ｂ，ｃ，ｄ）と、半径方向の延在が比較的僅かな谷部（ｅ，ｆ，ｇ，ｈ）とを有しており、この場合、触知エレメントが、半径方向で運動可能であって、コラムホイール（７）の位置に応じて、コラム（ａ，ｂ，ｃ，ｄ）の端面に接触するかまたは谷部（ｅ，ｆ，ｇ，ｈ）内に突入する、請求項１から６までのいずれか１項記載のクロノグラフ。
【請求項８】
作動装置が、コラムホイール（７）と鋸歯歯車（１８）またはカム歯車の回転軸に対して平行な旋回軸（２２）を中心として旋回可能で、第３の作動エレメント（４５）によって、長手方向の延在の方向で、鋸歯歯車（１８）またはカム歯車に対してほぼ接線状に運動可能なレバー（１９）を有しており、該レバー（１９）が自由端部に切替つめ（２４）を有しており、このレバー（１９）はコラムホイール（７）のコラム（ａ，ｂ，ｃ，ｄ）によって、切替つめ（２４）が、鋸歯歯車（１８）またはカム歯車から係合解除されるように旋回可能である、請求項７記載のクロノグラフ。
【請求項９】
コラム（ａ，ｂ，ｃ，ｄ）によって、レバー（１９）の、触知突起（２３）として形成された触知エレメントが負荷可能である、請求項７記載のクロノグラフ。
【請求項１０】
切替エレメント及び／又は切替歯車が、係止ばね（２５）によって、ロック位置にまたはロック解除位置に係止可能である、請求項１から９までのいずれか１項記載のクロノグラフ。
【請求項１１】
係止ばね（２５）が、歯車として形成された切替歯車の歯の間に係止可能である、請求項１から１０までのいずれか１項記載のクロノグラフ。
【請求項１２】
グリッパアーム（１，１´）が、コラムホイール（７）の回転軸に対して半径方向に向けられた触知突起（２，２´）を有しており、該触知突起が、コラムホイール（７）の位置に応じて、コラム（ａ，ｂ，ｃ，ｄ）の端面に接触するかまたは谷部（ｅ，ｆ，ｇ，ｈ）に突入する、請求項１から１１までのいずれか１項記載のクロノグラフ。
【請求項１３】
第３の作動エレメント（４５）が、非負荷位置へとばね負荷されている、請求項１記載のクロノグラフ。
【請求項１４】
キャッチアップ歯車（６）が、秒キャッチアップカウンタのキャッチアップ歯車である、請求項１から１３までのいずれか１項記載のクロノグラフ。
【請求項１５】
第１の作動エレメント（４４）を手動で操作する際に、クロノグラフ駆動装置によって、第２のクロノグラフ指針（４９）の第２の指針軸（５１）が回転可能に駆動可能であって、第２のクロノグラフ指針（４９）に重なり合って駆動可能な第２のキャッチアップ指針（５０）の、第２の指針軸（５１）に対して同心的な第２のキャッチアップ指針軸（２７）が設けられており、第２の指針軸（５１）には、第２のクロノグラフ指針（４９）を戻すための分カウンタハートカムが配置されており、第２の指針軸（５１）と第２のキャッチアップ指針軸（２７）とは、摩擦接続的な連結部の第２のキャッチアップハートカムにより回転不能に互いに結合可能であって、第２のキャッチアップ指針軸（２７）に配置された第２のキャッチアップ歯車（２６）が設けられており、該第２のキャッチアップ歯車（２６）が、第２のキャッチアップグリッパ（３９）のグリッパアーム（１２，１２´）によってばねプレロード下で係合可能であって、摩擦接続または形状接続により回転ロック可能であって、切替エレメントによって、第２のキャッチアップグリッパ（３９）のグリッパアーム（１２，１２´）が、回転ロック位置から出て第２のキャッチアップ歯車（２６）から持ち上がり可能に運動可能であって、第３の作動エレメント（４５）を、非負荷位置から負荷位置へと手動で動かすことにより、第２の指針軸（５１）と第２のクロノグラフ指針（４９）、並びに第２のキャッチアップ指針軸（２７）と第２のキャッチアップ指針（５０）とがゼロ位置に運動可能である、請求項１から１４までのいずれか１項記載のクロノグラフ。
【請求項１６】
第２のキャッチアップ歯車（２６）が、分カウンタのキャッチアップ歯車であって、第２のキャッチアップ指針（５０）が分カウンタのキャッチアップ指針である、請求項１から１５までのいずれか１項記載のクロノグラフ。
【請求項１７】
第１のクロノグラフ指針軸（２８）と、第２の指針軸（５１）とが、１つの共通のクロノグラフ駆動装置（３３）によって回転可能に駆動可能である、請求項１５または１６記載のクロノグラフ。
【請求項１８】
切替エレメントによって作動装置が操作可能であって、該作動装置によって、第２のキャッチアップグリッパ（３９）のグリッパアーム（１２，１２´）が、回転ロック位置から出て、第２のキャッチアップ歯車（２６）から持ち上がり可能に運動可能である、請求項１５から１７までのいずれか１項記載のクロノグラフ。
【請求項１９】
作動装置が、旋回軸（１１）を中心として旋回可能な２腕式のレバー（９）を有しており、該レバーの一方のレバーアームの端部に触知突起（１７）が配置されていて、触知突起（１７）によって切替エレメントの位置が検知可能であって、第２のレバーアームの端部によって、切替エレメントの回転ロック位置が検知された場合には、第２のキャッチアップグリッパ（３９）のグリッパアーム（１２，１２´）を第２のキャッチアップ歯車（２６）から持ち上げるための第２の切替エレメントが操作可能である、請求項１８記載のクロノグラフ。
【請求項２０】
第２の切替エレメントが、第２のレバーアームから、第２のキャッチアップグリッパ（３９）のグリッパアーム（１２，１２´）のほぼ長手方向延在で運動可能な傾斜エレメント（１６）であって、該傾斜エレメント（１６）によって、第２のキャッチアップグリッパ（３９）のグリッパアーム（１２，１２´）が互いに離れるように拡開可能である、請求項１９記載のクロノグラフ。
【発明の詳細な説明】
【０００１】
本発明は、クロノグラフであって、クロノグラフ駆動装置が設けられており、該クロノグラフ駆動装置によって、第１の作動エレメントを手動操作する際に、クロノグラフ指針のクロノグラフ指針軸が回転可能に駆動可能であって、クロノグラフ指針に重なり合って駆動可能なキャッチアップ指針の、クロノグラフ指針軸に対して同心的なキャッチアップ指針軸が設けられており、前記クロノグラフ指針軸には、クロノグラフ指針を戻すための秒ハートカムが配置されていて、クロノグラフ指針軸とキャッチアップ指針軸とは、摩擦接続的な連結部材のキャッチアップハートカムによって回転不能に互いに結合可能であって、キャッチアップ指針軸に配置されたキャッチアップ歯車が設けられており、該キャッチアップ歯車は、キャッチアップグリッパのグリッパアームによってばねプレロード下で係合可能であって、摩擦接続または形状接続により回転ロック可能であって、第２の作動エレメントを手動で操作することにより、ロック位置とロック解除位置との間で運動可能な切替エレメントが設けられており、該切替エレメントによって、グリッパアームが回転ロック位置から出てキャッチアップ歯車から持ち上がり可能に運動可能である形式のものに関する。
【０００２】
このような形式のクロノグラフは、ドイツ連邦共和国特許第４２０９５８０号明細書により公知である。この公知のクロノグラフでは、始動後に、第１の作動エレメントの操作により、クロノグラフ指針とキャッチアップ指針とを一緒に再び停止させることができる。第２の作動エレメントによってキャッチアップ指針だけを停止させることもできる。この場合、クロノグラフ指針は引き続き動いている。これにより１分間の間の複数の時間間隔を測定することができる。第２の作動エレメントを再び操作すると、キャッチアップ指針は、動いているクロノグラフ指針の位置にジャンプし、このクロノグラフ指針と一緒に引き続き動き、別の時間間隔を新たに測定する準備が整う。時間間隔の測定は任意に頻繁に繰り返し行うことができる。クロノグラフ指針も停止させたい場合には、第１の作動エレメントを再び操作する必要がある。即ち、停止した指針の状態は２つ存在する。２つの指針が重なり合って停止しているか、または各指針が固有の位置を有しているかである。
【０００３】
本発明の課題は、冒頭で述べた形式のクロノグラフを改良して、簡単な操作によって、クロノグラフ指針とキャッチアップ指針とが静止して重なり合った位置、両指針のそれぞれ固有の静止位置、これらの指針の動いている状態から、それぞれ瞬間的にゼロ設定を行うことができ、かつ動いている状態からのゼロ設定の際に瞬間的な新スタート（フライバック：Ｆｌｙｂａｃｋ）も可能であるようなクロノグラフを提供することである。
【０００４】
この課題を解決するために本発明の構成では、第３の作動エレメントが設けられており、該第３の作動エレメントを、非負荷位置から負荷位置へと手動で動かすことによって、クロノグラフ指針軸と、クロノグラフ指針とがゼロ位置に運動可能であって、ロック位置に位置する切替エレメントが、ロック解除位置へと運動可能であって、またはロック解除位置に位置する切替エレメントがロック解除位置に留まるようにした。
【０００５】
第３の作動エレメントを一度だけ操作することにより、静止した指針または動いている指針をゼロ位置へと作動させることができ、この場合このためにその都度、停止させ、次いでゼロ設定させる作動エレメント操作を行う必要はなく、場合によっては再始動のために３回行う必要はない。このような再始動のために、操作される第３の作動エレメントを一度だけ動かせば良く、これによりこのような再始動はゼロ設定後に遅れることなしに行うことができる。
【０００６】
多重機能の簡単な構成は、第３の作動エレメントによって作動装置が操作可能であって、該作動装置によって、ロック位置とロック解除位置との間で切替エレメントが運動可能に駆動可能であって、この場合、触知エレメントによって、切替エレメントの位置が検知可能であって、切替エレメントがロック解除位置にある場合には、作動装置は作動不能であって、切替エレメントがロック位置にある場合には作動装置が作動可能であることによって得られる。
【０００７】
このために、作動装置が、切替エレメントに回動不能に同心的に結合されているかまたは、中間伝動装置を介して回転可能に駆動可能な切替歯車を有しており、該切替歯車は、第３の作動エレメントによって操作可能な切替突起が、ロック位置からロック解除位置への切替エレメントの切替ステップに相当する切替ステップ分だけさらに切替可能である。
【０００８】
ロック解除位置に存在する切替エレメントが、このロック解除位置に留まることを保証するために、切替エレメントのロック解除位置では、作動装置が切替歯車から係合解除されている。
【０００９】
切替エレメントは、異なる方法で形成することができ、構成によって、切替エレメントが、回転方向で、または選択的な回転方向で引き続き切替可能である。
【００１０】
切替歯車と作動装置の簡単な構成は、切替歯車が、鋸歯歯車またはカム歯車であって、切替つめとして形成された、作動装置の切替突起によってさらに切替可能であって、作動装置は切替エレメントのロック位置で鋸歯歯車またはカム歯車と係合しており、切替エレメントのロック解除位置で鋸歯歯車またはカム歯車の係合から解除させることができる。
【００１１】
切替エレメントの同様に簡単な構成は、切替エレメントがコラムホイールであって、該コラムホイールが交互に半径方向に突出するコラムと、半径方向の延在が比較的僅かな谷部とを有しており、この場合、触知エレメントが、半径方向で運動可能であって、コラムホイールの位置に応じて、コラムの端面に接触するかまたは谷部内に突入する。
【００１２】
この場合、有利には、構成部分の少ない構成では、作動装置が、コラムホイールと鋸歯歯車またはカム歯車の回転軸に対して平行な旋回軸を中心として旋回可能で、第３の作動エレメントによって、長手方向の延在の方向で、鋸歯歯車またはカム歯車に対してほぼ接線状に運動可能なレバーを有しており、該レバーが自由端部に切替つめを有しており、このレバーはコラムホイールのコラムによって、切替つめが、鋸歯歯車またはカム歯車から係合解除されるように旋回可能である。
【００１３】
同様に簡単な構成では、コラムによって、レバーの、触知突起として形成された触知エレメントが負荷可能である。
【００１４】
切替エレメント及び／又は切替エレメントの不本意な切替を防止するために、切替エレメント及び／又は切替歯車が、係止ばねによって、ロック位置にまたはロック解除位置に係止可能である、このために簡単な形式では、係止ばねが、歯車として形成された切替歯車の歯の間に係止可能である。
【００１５】
同様に簡単な構成では、グリッパアームが、コラムホイールの回転軸に対して半径方向に向けられた触知突起を有しており、該触知突起が、コラムホイールの位置に応じて、コラムの端面に接触するかまたは谷部に突入する。
【００１６】
第３の作動エレメントの操作後の遅れのない再始動を助成するために、第３の作動エレメントが、非負荷位置へとばね負荷されている。
【００１７】
有利には、キャッチアップ歯車が、秒キャッチアップカウンタのキャッチアップ歯車である。
【００１８】
有利には、分カウンタのキャッチアップ指針である第２のキャッチアップ指針を可能にするために、第１の作動エレメントを手動で操作する際に、クロノグラフ駆動装置によって、第２のクロノグラフ指針の第２の指針軸が回転可能に駆動可能であって、第２のクロノグラフ指針に重なり合って駆動可能な第２のキャッチアップ指針の、第２の指針軸に対して同心的な第２のキャッチアップ指針軸が設けられており、第２の指針軸には、第２のクロノグラフ指針を戻すための分カウンタハートカムが配置されており、第２の指針軸と第２のキャッチアップ指針軸とは、摩擦接続的な連結部の第２のキャッチアップハートカムにより回転不能に互いに結合可能であって、第２のキャッチアップ指針軸に配置された第２のキャッチアップ歯車が設けられており、該第２のキャッチアップ歯車が、第２のキャッチアップグリッパのグリッパアームによってばねプレロード下で係合可能であって、摩擦接続または形状接続により回転ロック可能であって、切替エレメントによって、第２のキャッチアップグリッパのグリッパアームが、回転ロック位置から出て第２のキャッチアップ歯車から持ち上がり可能に運動可能であって、第３の作動エレメントを、非負荷位置から負荷位置へと手動で動かすことにより、第２の指針軸と第２のクロノグラフ指針、並びに第２のキャッチアップ指針軸と第２のキャッチアップ指針とがゼロ位置に運動可能である。
【００１９】
この場合、第２のキャッチアップ歯車が、分カウンタのキャッチアップ歯車であって、第２のキャッチアップ指針が分カウンタのキャッチアップ指針である。
【００２０】
第１のクロノグラフ指針軸と、第２の指針軸とが、１つの共通のクロノグラフ駆動装置によって回転可能に駆動可能であるならば、構成スペースを省くことができ、クロノグラフを簡単にすることができる。
【００２１】
有利には、切替エレメントによって作動装置が操作可能であって、該作動装置によって、第２のキャッチアップグリッパのグリッパアームが、回転ロック位置から出て、第２のキャッチアップ歯車から持ち上がり可能に運動可能である。
【００２２】
この場合、簡単な構成では、作動装置が、旋回軸を中心として旋回可能な２腕式のレバーを有しており、該レバーの一方のレバーアームの端部に触知突起が配置されていて、触知突起によって切替エレメントの位置が検知可能であって、第２のレバーアームの端部によって、切替エレメントの回転ロック位置が検知された場合には、第２のキャッチアップグリッパのグリッパアームを第２のキャッチアップ歯車から持ち上げるための第２の切替エレメントが操作可能である。
【００２３】
第２の切替エレメントが、第２のレバーアームから、第２のキャッチアップグリッパのグリッパアームのほぼ長手方向延在で運動可能な傾斜エレメントであって、該傾斜エレメントによって、第２のキャッチアップグリッパのグリッパアームが互いに離れるように拡開可能であるならば、特に簡単に第２の切替エレメントが形成されている。
【００２４】
本発明の実施例を図面につき詳しく説明する。
【００２５】
図１には、秒区分と分区分とを検出するためのクロノグラフのキャッチアップ装置が、開かれたキャッチアップグリッパとともに示されており、
図２には、図１のキャッチアップ装置の、第３の切替エレメントによって操作可能な機構が補足的に示されており、
図３には、図１のキャッチアップ装置が、閉じられたキャッチアップグリッパとともに示されており、
図４には、図３のキャッチアップ装置の切替位置に属する切替位置における図２の機構が示されており、
図５には、図１のクロノグラフの平面図が示されており、
図６には、キャッチアップ装置の第２の実施例が示されており、
図７には、図１のキャッチアップ装置のクロノグラフ駆動機構の側方図が示されており、
図８には、秒ハートカムおよびキャッチアップハートカムと図７のクロノグラフ駆動機構のクロノグラフ駆動歯車の平面図が示されており、
図９には、キャッチアップ歯車と、連結された位置にある図７のクロノグラフ駆動機構の連結部とを示す平面図が示されており、
図１０には、キャッチアップ歯車と、連結解除位置にある図７クロノグラフ駆動機構の連結部とを示す平面図が示されている。
【００２６】
図５に示したクロノグラフは、円形の文字板４１を有した時計ケーシングを有している。中央には秒カウンタの第１のクロノグラフ指針軸２８と、第１のキャッチアップ指針軸５とが配置されている。この場合、第１のクロノグラフ指針軸２８はクロノグラフ指針４７を、第１のキャッチアップ指針軸５は第１のキャッチアップ指針４８を支持している。これらの指針は、互いに重なり合った状態で駆動可能である。
【００２７】
第１のクロノグラフ指針軸２８に対して間隔を置いて平行に、分カウンタの第２のクロノグラフ指針４９を備えた第２の指針軸５１と、この第２のクロノグラフ指針４９と重なりあって駆動可能な第２のキャッチアップ指針５０の第２のキャッチアップ指針軸２７とが配置されている。
【００２８】
リュウズ４２は、時計ケーシング４０の３時の位置に位置している。
【００２９】
さらに、押しボタンとして形成された第１の作動エレメント４４が２時の位置に、第２の作動エレメント４６が１０時の位置に、第３の作動エレメント４５が４時の位置に位置している。
【００３０】
図７〜図１０に示したように、第１のクロノグラフ指針４７を備えた、管状の第１のクロノグラフ指針軸２８には、クロノグラフ中央歯車３４が固定されて配置されている。このクロノグラフ中央歯車３４は、クロノグラフ駆動装置３３によって回転可能に駆動可能である。
【００３１】
第１のクロノグラフ指針軸２８にはさらに、第１のクロノグラフ指針４７を出発位置またはゼロ位置に戻すための秒ハートカム２９と、摩擦接続的なクラッチ装置のキャッチアップハートカム３０とが回動不能に配置されている。
【００３２】
管状の第１のクロノグラフ指針軸２８の軸方向の貫通孔内には、第１のキャッチアップ指針軸５が回動可能に支承されている。この第１のキャッチアップ指針軸５は、相対回動不能にキャッチアップ歯車６を支持しており、このキャッチアップ歯車６の半径方向環状の周面３２には微細な歯列もしくは粗面加工部が設けられている。
【００３３】
キャッチアップ歯車６の半径方向外側の領域において、このキャッチアップ歯車６の一方の端部に、キャッチアップハートカムレバー３５が、第１のクロノグラフ指針軸２８に対して平行な軸３６を中心として旋回可能に枢着されている。このキャッチアップハートカムレバー３５は、キャッチアップハートカム３０が位置しているのと同じ平面で旋回可能である。引張ばね３７によって、キャッチアップハートカムレバー３５の自由端部のクラッチ面３８が、キャッチアップハートカム３０の環状の周面に接触するように負荷される。
【００３４】
キャッチアップ歯車６が自由に回転可能である場合には、キャッチアップハートカムレバー３５が、第１のクロノグラフ指針軸２８が次の位置に達するまでキャッチアップハートカム３０の周面に沿って滑動する。この位置では、キャッチアップ歯車６と第１のクロノグラフ指針軸２８とが摩擦接続的に互いに連結される。
【００３５】
このような図９に示した位置では、第１のクロノグラフ指針４７と第１のキャッチアップ指針４８とが、互いに重なり合う位置にある。第１のクロノグラフ指針軸２８の回転駆動の際に、キャッチアップハートカムレバー３５の摩擦接続的なクラッチを介してキャッチアップ指針軸５が同期的に一緒に回転するので、第１のクロノグラフ指針４７と第１のキャッチアップ指針４８とが互いに結合されているかのように一緒に運動する。
【００３６】
第１のクロノグラフ指針軸２８の駆動中に、キャッチアップ歯車６がロックされると、引張ばね３７の張力下で、キャッチアップハートカムレバー３５の連結面３８は、キャッチアップハートカム３０の周面に沿って滑動し、これにより第１のキャッチアップ指針４８は静止したままであるが、第１のクロノグラフ指針４７はさらに回動する。これは図１０に示した状態である。キャッチアップ歯車６のロックが解除されると、キャッチアップハートカムレバー３５が、キャッチアップハートカム３０の周面に沿って、次の位置にある第１のクロノグラフ指針軸２８にまで滑動し、第１のクロノグラフ指針軸２８と同期的にさらに回動する。
【００３７】
キャッチアップ歯車６の回転運動をロックするために、キャッチアップ歯車６は、幾分Ｕ字形に配置された第１のキャッチアップグリッパ３１のグリッパアーム１，１´の自由端部によって挟まれる。グリッパアーム１，１´の、キャッチアップ歯車６の周面３２に面した面には同様に微細な歯列もしくは粗面加工部が設けられているので、キャッチアップ歯車６とグリッパアーム１，１´との間には形状接続的な結合を形成することができる。
【００３８】
グリッパアーム１，１´には、キャッチアップ歯車６とは反対側の端部領域で、定置に固定するための固定脚部４，４´が設けられている。
【００３９】
グリッパアーム１，１は、固定脚部４，４´に続く領域では、ばね弾性的な部分３として形成されていて、この場合、第１のキャッチアップグリッパ３１が、グリッパアーム１，１´のばね弾性的なプレロード下でキャッチアップ歯車６に抗して静止するようになっている。
【００４０】
ばね弾性的な部分３の、固定脚部４，４´とは反対の側には、グリッパアーム１，１´の、互いに向かい合う内面に、Ｖ字形の傾斜面状に突出する触知突起２，２´が形成されている。
【００４１】
第１のクロノグラフ指針軸２８に対して平行に、第１のキャッチアップグリッパ３１の対称線に交差する回転軸を中心として、コラムホイール７が回転可能に配置されている。このコラムホイール７は、周囲に亘って均一に分配された、交互に半径方向に突出する４つのコラムａ，ｂ，ｃ，ｄと、比較的半径方向の延びが小さい４つの谷部ｅ，ｆ，ｇ，ｈとを有している。この場合、触知突起２，２´は、コラムホイール７の位置に応じて、コラムａ，ｂ，ｃ，ｄの端面に接触し、グリッパアーム１，１´をキャッチアップ歯車６から持ち上げるか、または谷部ｅ，ｆ，ｇ，ｈに突入し、グリッパアーム１，１´をばねプレロード下でキャッチアップ歯車６に接触させ、これをロックする。
【００４２】
時間間隔を検出するために時計回りで鋸歯歯車１８が４５度だけ更に回転することは、図示されていない方法で、第２の作動エレメント４６の操作により行われる。これによりこのような切替ステップにより、予めロックされたキャッチアップ歯車６のロック解除又は予めロック解除されたキャッチアップ歯車６のロックが行われる。
【００４３】
８つの歯列Ｚ１〜Ｚ８を有した鋸歯歯車１８は、コラムホイール７と同心的にこのコラムホイール７に回動不能に結合されているか（図１〜図４参照）、又は中間歯車４３を介してコラムホイール７に結合されている（図６）。鋸歯歯車１８は、第３の作動エレメント４５により、作動装置によっても４５°の切替ステップだけ時計回りにさらに回転可能である。
【００４４】
この作動装置は、コラムホイール７と鋸歯歯車１８の回転軸線に対して平行な旋回軸２２を中心として旋回可能で、かつ、第３の作動エレメント４５によって、その長手方向の延びの方向で、鋸歯歯車１８に対して、ほぼ接線状に運動可能なレバー１９を有している。このレバー１９は自由端部に切替つめ２４を有している。
【００４５】
レバー１９はさらに、半径方向でコラムホイール７に接触し、このコラムホイール７によって半径方向で運動可能である触知エレメント２３を有している。コラムホイール７の位置によって、触知エレメント２３は、コラムａ，ｂ，ｃ，ｄの端面に接触するかまたは谷部ｅ，ｆ，ｇ，ｈ内に突入する。
【００４６】
相応して、レバー１９の、切替つめ２４とは反対側の端部における、旋回軸２２を中心としたレバー１９の旋回も行われる。
【００４７】
旋回軸２２にはさらに別のレバー２０の端部が枢着されている。このレバー２０はレバー１９に対してほぼ直角に延びていて、他方の端部で、定置の旋回軸２１を中心として旋回可能である。
【００４８】
レバー２０は、第３の作動エレメント４５によって、ばね力に反して、このレバー２０の長手方向の延在に対して横方向に負荷可能であり、これにより、レバー２０は、旋回軸線２１を中心として旋回し、レバー１９は、ほぼ長手方向延在の方向で運動する。
【００４９】
この場合、触知エレメント２３が、コラムａ，ｂ，ｃ，ｄの端面に位置していると、これによりレバー１９は、切替つめ２４が、鋸歯歯車１８の係合領域の外側に位置するように旋回し、これにより鋸歯歯車１８をさらに回転しないように負荷することができる。
【００５０】
これにより、コラムホイール７も、グリッパアーム１，１´がキャッチアップ歯車６から持ち上がり、このキャッチアップ歯車６によって駆動可能な第１のキャッチアップ指針４８が第１のクロノグラフ指針４７とともに運動することができる位置に留まる。その後、第３の作動エレメント４５の操作によって、両指針４７，４８がゼロ位置にもたらされ、第３の作動エレメント４５の負荷が終了されている。
【００５１】
しかし図３及び図４に示したように、第３の作動エレメント４５の操作時に、触知エレメント２３が、コラムホイール７の谷部ｅ，ｆ，ｇ，ｈに位置する場合には、レバー１９の切替つめ２４が、鋸歯歯車１８の係合領域へと旋回し、第３の作動エレメント４５の操作と、レバー１９の軸方向運動により、鋸歯歯車１８が４５°だけ回転する。
【００５２】
これにより、コラムホイール７が４５°回転されるので、触知突起２，２´が、コラムａ，ｂ，ｃ，ｄの端面に達し、閉鎖されていた第１のロックアップグリッパ３１のグリッパアーム１，１´が持ち上がり、キャッチアップ歯車６の回転がロックされる。これにより第１のキャッチアップ指針４８がクロノグラフ指針４７の位置にジャンプする。
【００５３】
鋸歯歯車１８の不慮の切替を防止するために、係止ばね２５が設けられていて、この係止ばね２５が、鋸歯歯車の歯の隙間である谷部ｅ，ｆ，ｇ，ｈにばね弾性的に係止可能である。
【００５４】
クロノグラフ駆動装置３３により、第１の作動エレメント４４の手動の操作時に、第２のクロノグラフ指針４９の第２の指針軸５１も回転可能に駆動可能である。この第２の指針軸５１に対して、第２のクロノグラフ指針４９と重なり合って駆動可能な第２のキャッチアップ指針５０の第２のキャッチアップ指針軸４７が同心的に配置されている。
【００５５】
図示されていないが、第１のクロノグラフ指針４７と第１のキャッチアップ指針４８の駆動のためのものと同様に、同じ機能形式で、第２の指針軸５１に分カウンタハートカムが、第２のクロノグラフ指針４９を戻すために配置されていて、第２の指針軸５１と第２のキャッチアップ指針軸２７が、摩擦接続的なクラッチの第２のキャッチアップハートカムによって回転不能に互いに結合可能である。
【００５６】
第２のキャッチアップ指針軸２７には第２のキャッチアップ歯車２６が配置されている。この第２のキャッチアップ歯車２６は、第２のキャッチアップグリッパ３９のグリッパアーム１２，１２´によってばねプレロード下で挟み込み可能であって、摩擦接続によって回転ロック可能である。
【００５７】
第２のキャッチアップグリッパ３９は、グリッパアーム１２，１２´と、触知突起１３，１３´とともにばね弾性的な部分１４，１４´と、固定脚部１５，１５´とを有しており、第１のキャッチアップグリッパ３１と同様の構成及び同様の作用形式である。
【００５８】
触知突起１３，１３´を負荷するために、これらの触知突起１３，１３´の間に、グリッパアーム１２，１２´のほぼ長手延在方向で運動可能な傾斜エレメント１６が配置されていて、この傾斜エレメント１６によって、第２のキャッチアップグリッパ３９のグリッパアーム１２，１２´が互いに離れるように拡開可能であって、従って、キャッチアップ歯車２６から持ち上げ可能である。
【００５９】
傾斜エレメント１６は、触知突起１３，１３´に配属されたそれぞれ１つの傾斜部５２，５２´を有しており、これらの傾斜部５２，５２´には互いに方向付けられた凹部５３，５３´を有している。
【００６０】
傾斜エレメント１６を動かすために、旋回軸１１を中心として旋回可能な二腕式のレバー９を有した作動装置が働く。レバー９のレバーアームの端部には触知突起１７が配置されており、この触知突起１７によって、コラムホイール７の位置を検出可能である。レバー９の第２のレバーアームの端部は傾斜エレメント１６に枢着されている。
【００６１】
触知突起１７がコラムホイール７の谷部ｅ，ｆ，ｇ，ｈに位置している場合、レバー１６は、触知突起１３，１３´が、傾斜エレメント１６の減幅した領域で凹部５３，５３´の高さに位置し、この凹部に進入するような位置に旋回する。これによりグリッパアーム１２，１２´は互いに接近するように、第２のキャッチアップ歯車２６の回転ロック位置へと運動することができる（図３）。
【００６２】
コラムホイール７の回動により、触知突起１７がコラムホイール７の谷部ｅ，ｆ，ｇ，ｈから、コラムａ，ｂ，ｃ，ｄの端面にまで持ち上げられると、これによりレバー９の旋回が行われる。
【００６３】
これにより、傾斜エレメント１６が動かされ、傾斜部５２，５２´により触知突起１３，１３´が負荷されると、第２のキャッチアップグリッパ３９のグリッパアーム１２，１２´が互いに離れるように拡開し、回転ロック位置から第２のキャッチアップ歯車２６から持ち上げられる（図１）。
【図面の簡単な説明】
【図１】
秒区分と分区分とを検出するためのクロノグラフのキャッチアップ装置を、開かれたキャッチアップグリッパとともに示した図である。
【図２】
図１のキャッチアップ装置の、第３の切替エレメントによって操作可能な機構を補足的に示した図である。
【図３】
図１のキャッチアップ装置を、閉じられたキャッチアップグリッパとともに示した図である。
【図４】
図３のキャッチアップ装置の切替位置に属する切替位置における図２の機構を示した図である。
【図５】
図１のクロノグラフの平面図である。
【図６】
キャッチアップ装置の第２の実施例を示した図である。
【図７】
図１のキャッチアップ装置のクロノグラフ駆動機構の側方図である。
【図８】
秒ハートカムおよびキャッチアップハートカムと図７のクロノグラフ駆動機構のクロノグラフ駆動歯車の平面図である
【図９】
キャッチアップ歯車と、連結された位置にある図７のクロノグラフ駆動機構の連結部とを示す平面図である。
【図１０】
キャッチアップ歯車と、連結解除位置にある図７クロノグラフ駆動機構の連結部とを示す平面図である。
【符号の説明】
１，１´  グリッパアーム、  ２，２´  触知突起、  ３  ばね弾性的な部分、  ４，４´  固定脚部、  ５  キャッチアップ指針軸、  ６  キャッチアップ歯車、  ７  コラムホイール、  ９  ２腕式レバー、  １１  旋回軸、  １２，１２´  グリッパアーム、  １３，１３´  触知突起、  １４，１４´  ばね弾性的な部分、  １５，１５´  固定脚部、  １６  傾斜エレメント、  １７  触知突起、  １８  鋸歯歯車、  １９，２０  レバー、  ２１，２２  旋回軸、  ２３  触知エレメント、  ２４  切替つめ、  ２５  係止キー、  ２６  キャッチアップ歯車、  ２７  指針軸、  ２８  クロノグラフ指針軸、  ２９  秒ハートカム、  ３０  キャッチアップハートカム、  ３１  キャッチアップグリッパ、  ３２  周面、  ３３  クロノグラフ駆動装置、  ３４  クロノグラフ中央歯車、  ３５  キャッチアップハートカムレバー、  ３６  軸、  ３７  引張ばね、  ３８  クラッチ面、  ３９  第２のキャッチアップグリッパ、  ４０  時計ケーシング、  ４１  文字板、  ４２  リュウズ、  ４４  第１の作動エレメント、  ４５  第３の作動エレメント、  ４６  第２の作動エレメント、  ４７，４９  クロノグラフ指針、  ４８，５０  キャッチアップ指針、  ５１  第２の指針軸、  ５２，５２´  傾斜部、  ５３，５３´  凹部、  ａ，ｂ，ｃ，ｄ  コラム、  ｅ，ｆ，ｇ，ｈ  谷部
【国際公開パンフレット】
2004521371.tif 000003
2004521371.tif 000004
2004521371.tif 000005
2004521371.tif 000006
2004521371.tif 000007
2004521371.tif 000008
2004521371.tif 000009
2004521371.tif 000010
2004521371.tif 000011
2004521371.tif 000012
2004521371.tif 000013
2004521371.tif 000014
2004521371.tif 000015
2004521371.tif 000016
2004521371.tif 000017
2004521371.tif 000018
2004521371.tif 000019
2004521371.tif 000020
2004521371.tif 000021
2004521371.tif 000022
2004521371.tif 000023
2004521371.tif 000024
2004521371.tif 000025
2004521371.tif 000026
2004521371.tif 000027
2004521371.tif 000028
2004521371.tif 000029
2004521371.tif 000030
2004521371.tif 000031
2004521371.tif 000032
2004521371.tif 000033
2004521371.tif 000034
2004521371.tif 000035
2004521371.tif 000036
2004521371.tif 000037
【国際調査報告】
2004521371.tif 000038
2004521371.tif 000039
2004521371.tif 000040
2004521371.tif 000041